(57)【特許請求の範囲】
【請求項１】
負荷に電力を供給する電源と、
前記電源から前記負荷への電力供給の有無を切替可能なスイッチング素子と、
前記負荷が接続された通電経路上に設けられたヒューズと、
前記スイッチング素子から予め定められた特定範囲内の温度を検出する温度検出部と、
前記温度検出部によって検出される温度が予め定められた基準温度を超える異常状態の発生回数をカウントするカウント処理部と、
前記異常状態が発生した場合であって、前記カウント処理部によりカウントされる前記異常状態の発生回数が予め定められた上限回数以下である場合には前記電源による前記負荷への給電を停止させる停止処理を実行し、前記カウント処理部によりカウントされる前記異常状態の発生回数が前記上限回数を超える場合には前記ヒューズを溶断させる溶断処理を実行する処理実行部と、
を備え、
前記処理実行部は、前記カウント処理部によりカウントされる前記異常状態の発生回数が前記上限回数以下である場合には、予め定められた停止解除条件を充足するまでの間、前記電源による前記負荷への給電を停止させる電源装置。
【請求項２】
前記電源、前記スイッチング素子、及び前記ヒューズは、それぞれ複数であって、
前記温度検出部は、前記スイッチング素子各々から前記特定範囲内の温度を検出し、
前記処理実行部は、前記異常状態が発生した場合であって、前記カウント処理部によりカウントされる前記異常状態の発生回数が前記スイッチング素子の数に応じて予め定められた前記上限回数以下である場合には前記電源各々による前記負荷への給電を停止させる前記停止処理を実行し、前記カウント処理部によりカウントされる前記異常状態の発生回数が前記スイッチング素子の数に応じて予め定められた前記上限回数を超える場合には前記ヒューズ各々を溶断させる前記溶断処理を実行する請求項１に記載の電源装置。
【請求項３】
負荷に電力を供給する電源と、
前記電源から前記負荷への電力供給の有無を切替可能なスイッチング素子と、
前記負荷が接続された通電経路上に設けられたヒューズと、
前記スイッチング素子から予め定められた特定範囲内の温度を検出する温度検出部と、
前記温度検出部によって検出される温度が予め定められた基準温度を超える異常状態の発生回数をカウントするカウント処理部と、
前記異常状態が発生した場合であって、前記カウント処理部によりカウントされる前記異常状態の発生回数が予め定められた上限回数以下である場合には前記電源による前記負荷への給電を停止させる停止処理を実行し、前記カウント処理部によりカウントされる前記異常状態の発生回数が前記上限回数を超える場合には前記ヒューズを溶断させる溶断処理を実行する処理実行部と、
を備え、
前記電源、前記スイッチング素子、及び前記ヒューズは、それぞれ複数であって、
前記温度検出部は、前記スイッチング素子各々から前記特定範囲内の温度を検出し、
前記処理実行部は、前記異常状態が発生した場合であって、前記カウント処理部によりカウントされる前記異常状態の発生回数が前記スイッチング素子の数に応じて予め定められた前記上限回数以下である場合には前記電源各々による前記負荷への給電を停止させる前記停止処理を実行し、前記カウント処理部によりカウントされる前記異常状態の発生回数が前記スイッチング素子の数に応じて予め定められた前記上限回数を超える場合には前記ヒューズ各々を溶断させる前記溶断処理を実行する電源装置。
【請求項４】
請求項１〜３のいずれかに記載の電源装置を備える電子機器。
【請求項５】
前記電源は、前記処理実行部から出力される給電停止信号に応じて前記負荷への給電を停止し、
前記電子機器は、主電源が遮断されるまでの間、前記処理実行部から出力される前記給電停止信号を保持するラッチ回路を更に備える請求項４に記載の電子機器。
【請求項６】
トナー像をシートに定着させる定着部を有し、前記シートに画像データに基づく画像を形成する画像形成部を更に備え、
前記上限回数は、前記定着部からの前記温度検出部の離間距離に応じて予め定められる請求項４又は５に記載の電子機器。
【請求項７】
負荷に電力を供給する電源と、前記電源から前記負荷への電力供給の有無を切替可能なスイッチング素子と、前記負荷が接続された通電経路上に設けられたヒューズと、前記スイッチング素子から予め定められた特定範囲内の温度を検出する温度検出部と、を備える電源装置で実行される給電制御方法であって、
前記温度検出部によって検出される温度が予め定められた基準温度を超える異常状態の発生回数をカウントするカウントステップと、
前記異常状態が発生した場合であって、前記カウントステップによりカウントされる前記異常状態の発生回数が予め定められた上限回数以下である場合には前記電源による前記負荷への給電を停止させる停止処理を実行し、前記カウントステップによりカウントされる前記異常状態の発生回数が前記上限回数を超える場合には前記ヒューズを溶断させる溶断処理を実行する処理実行ステップと、
を含み、
前記処理実行ステップでは、前記カウントステップによりカウントされる前記異常状態の発生回数が前記上限回数以下である場合には、予め定められた停止解除条件を充足するまでの間、前記電源による前記負荷への給電が停止される給電制御方法。
【請求項８】
負荷に電力を供給する電源と、前記電源から前記負荷への電力供給の有無を切替可能なスイッチング素子と、前記負荷が接続された通電経路上に設けられたヒューズと、前記スイッチング素子から予め定められた特定範囲内の温度を検出する温度検出部と、を備える電源装置で実行される給電制御方法であって、
前記温度検出部によって検出される温度が予め定められた基準温度を超える異常状態の発生回数をカウントするカウントステップと、
前記異常状態が発生した場合であって、前記カウントステップによりカウントされる前記異常状態の発生回数が予め定められた上限回数以下である場合には前記電源による前記負荷への給電を停止させる停止処理を実行し、前記カウントステップによりカウントされる前記異常状態の発生回数が前記上限回数を超える場合には前記ヒューズを溶断させる溶断処理を実行する処理実行ステップと、
を含み、
前記電源、前記スイッチング素子、及び前記ヒューズは、それぞれ複数であって、
前記温度検出部は、前記スイッチング素子各々から前記特定範囲内の温度を検出し、
前記処理実行ステップでは、前記異常状態が発生した場合であって、前記カウントステップによりカウントされる前記異常状態の発生回数が前記スイッチング素子の数に応じて予め定められた前記上限回数以下である場合には前記電源各々による前記負荷への給電を停止させる前記停止処理が実行され、前記カウントステップによりカウントされる前記異常状態の発生回数が前記スイッチング素子の数に応じて予め定められた前記上限回数を超える場合には前記ヒューズ各々を溶断させる前記溶断処理が実行される給電制御方法。
【発明の詳細な説明】
【技術分野】
【０００１】
本発明は、電源装置、電源装置を備える電子機器、及び給電制御方法に関する。
【背景技術】
【０００２】
動作モードを通常モードと省電力モードとの間で切り替えることが可能なプリンターのような電子機器が知られている。例えば、この種の電子機器では、動作モードが省電力モードに切り替えられる場合に、電源と画像形成部などの負荷との間の通電経路に設けられた電界効果トランジスタ（ＦＥＴ）などのスイッチング素子が操作されて、電源から負荷への給電が停止される。
【０００３】
ところで、前記スイッチング素子の故障により、前記スイッチング素子に過大な電流が流れることがある。この場合、前記スイッチング素子が発熱して、前記スイッチング素子が設けられた基板が発煙又は発火するなどの不具合が生じる。これに対し、前記スイッチング素子の近傍の温度を検出する温度検出部を備え、前記温度検出部により検出される温度に応じて前記通電経路を遮断する構成が考えられる。例えば、前記通電経路に設けられたヒューズを溶断する構成が考えられる（例えば、特許文献１参照）。
【先行技術文献】
【特許文献】
【０００４】
【特許文献１】特開平１１−２０２６７４号公報
【発明の概要】
【発明が解決しようとする課題】
【０００５】
しかしながら、前記スイッチング素子の故障以外の原因で、前記温度検出部によって検出される温度が前記基準温度を超えることがある。そのため、前記温度検出部によって検出される温度が前記基準温度を超える場合に、前記通電経路に設けられたヒューズが溶断されると、前記スイッチング素子が正常であるにも関わらず電子機器の機能が制限される事態が生じる。
【０００６】
本発明の目的は、スイッチング素子が正常である場合に機能が制限されることを抑制可能な電源装置、電子機器、及び給電制御方法を提供することにある。
【課題を解決するための手段】
【０００７】
本発明の一の局面に係る電源装置は、電源と、スイッチング素子と、ヒューズと、温度検出部と、カウント処理部と、処理実行部とを備える。前記電源は、負荷に電力を供給する。前記スイッチング素子は、前記電源から前記負荷への電力供給の有無を切替可能である。前記ヒューズは、前記負荷が接続された通電経路上に設けられる。前記温度検出部は、前記スイッチング素子から予め定められた特定範囲内の温度を検出する。前記カウント処理部は、前記温度検出部によって検出される温度が予め定められた基準温度を超える異常状態の発生回数をカウントする。前記処理実行部は、前記異常状態が発生した場合であって、前記カウント処理部によりカウントされる前記異常状態の発生回数が予め定められた上限回数以下である場合には前記電源による前記負荷への給電を停止させる停止処理を実行し、前記カウント処理部によりカウントされる前記異常状態の発生回数が前記上限回数を超える場合には前記ヒューズを溶断させる溶断処理を実行する。
【０００８】
本発明の他の局面に係る電子機器は、前記電源装置を備える。
【０００９】
本発明の他の局面に係る給電制御方法は、負荷に電力を供給する電源と、前記電源から前記負荷への電力供給の有無を切替可能なスイッチング素子と、前記負荷が接続された通電経路上に設けられたヒューズと、前記スイッチング素子から予め定められた特定範囲内の温度を検出する温度検出部と、を備える電源装置で実行され、以下のカウントステップと、処理実行ステップとを含む。前記カウントステップでは、前記温度検出部によって検出される温度が予め定められた基準温度を超える異常状態の発生回数がカウントされる。前記処理実行ステップでは、前記異常状態が発生した場合であって、前記カウントステップによりカウントされる前記異常状態の発生回数が予め定められた上限回数以下である場合には前記電源による前記負荷への給電を停止させる停止処理が実行され、前記カウントステップによりカウントされる前記異常状態の発生回数が前記上限回数を超える場合には前記ヒューズを溶断させる溶断処理が実行される。
【発明の効果】
【００１０】
本発明によれば、スイッチング素子が正常である場合に機能が制限されることを抑制可能な電源装置、電子機器、及び給電制御方法が実現される。
【図面の簡単な説明】
【００１１】
【図１】図１は、本発明の第１実施形態に係る画像形成装置の構成を示す図である。
【図２】図２は、本発明の第１実施形態に係る画像形成装置のシステム構成を示すブロック図である。
【図３】図３は、本発明の第１実施形態に係る画像形成装置の電源部の構成を示すブロック図である。
【図４】図４は、本発明の第１実施形態に係る画像形成装置で実行される給電制御処理の一例を示すフローチャートである。
【図５】図５は、本発明の第２実施形態に係る画像形成装置の電源部の構成を示すブロック図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［第１実施形態］
まず、図１〜図３を参照しつつ、本発明の第１実施形態に係る画像形成装置１０の構成について説明する。ここで、図１は画像形成装置１０の構成を示す断面模式図である。なお、図３では、各構成間で入出力される電気信号が破線によって示されている。
【００１４】
図１及び図２に示されるように、画像形成装置１０は、ＡＤＦ１、画像読取部２、画像形成部３、給紙部４、制御部５、操作表示部６、及び電源部７を備える。画像形成装置１０は、原稿から画像データを読み取るスキャン機能、及び画像データに基づいて画像を形成するプリント機能と共に、ファクシミリ機能、及びコピー機能などの複数の機能を有する複合機である。ここに、画像形成装置１０が、本発明における電子機器の一例である。また、本発明は、スキャナー装置、プリンター装置、ファクシミリ装置、コピー機、パーソナルコンピューター、テレビ、空気調和器、洗濯機、電子レンジなどの電子機器に適用可能である。
【００１５】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１６】
画像形成部３は、画像読取部２で読み取られた画像データ又は外部のパーソナルコンピューター等の情報処理装置から入力された画像データに基づいて、電子写真方式で画像を形成する画像形成処理（印刷処理）を実行可能である。具体的に、画像形成部３は、図１に示されるように、感光体ドラム３１、帯電器３２、光走査部３３、現像器３４、転写ローラー３５、クリーニング装置３６、定着部３７、及び排紙トレイ３８を備える。
【００１７】
給紙部４は、給紙カセット、及び複数の搬送ローラーを備え、前記給紙カセットに収容されるシートを画像形成部３に供給する。なお、前記シートは、紙、コート紙、ハガキ、封筒、及びＯＨＰシートなどのシート材料である。
【００１８】
画像形成部３では、給紙部４から供給される前記シートに以下の手順で画像が形成され、画像形成後の前記シートが排紙トレイ３８に排出される。
【００１９】
まず、帯電器３２によって感光体ドラム３１の表面が所定の電位に一様に帯電される。次に、光走査部３３により感光体ドラム３１の表面に画像データに基づく光が照射される。これにより、感光体ドラム３１の表面に画像データに対応する静電潜像が形成される。そして、感光体ドラム３１上の静電潜像は現像器３４によってトナー像として現像（可視像化）される。なお、現像器３４には、画像形成部３に着脱可能なトナーコンテナ３４Ａからトナー（現像剤）が補給される。
【００２０】
続いて、感光体ドラム３１に形成されたトナー像は転写ローラー３５によってシートに転写される。その後、シートに転写されたトナー像は、そのシートが定着部３７の定着ローラー及び加圧ローラーの間を通過する際に前記定着ローラーで加熱されて溶融定着する。なお、感光体ドラム３１の表面に残存したトナーはクリーニング装置３６で除去される。
【００２１】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２２】
電源部７は、図３に示されるように、第１電源７１、第２電源７２、第１スイッチ７３、ヒューズ７４、第２スイッチ７５、及び温度検出部７６を備える。
【００２３】
第１電源７１は、図３に示されるように、外部電源２０から供給される電力を制御部５、及び第２電源７２に供給する。例えば、第１電源７１は、外部電源２０から供給される１００Ｖの交流電圧を予め定められた電圧値の直流電圧に変換するＡＣ−ＤＣコンバーターである。
【００２４】
第２電源７２は、図３に示されるように、第１電源７１から供給される電力を負荷Ｌに供給する。例えば、負荷Ｌは、ＡＤＦ１、画像読取部２、画像形成部３、給紙部４、又は操作表示部６である。例えば、第２電源７２は、第１電源７１から供給される直流電圧の電圧値を負荷Ｌの駆動電圧に応じて変換するＤＣ−ＤＣコンバーターである。ここに、第２電源７２が、本発明における電源の一例である。
【００２５】
また、第２電源７２は、制御部５によって負荷Ｌへの給電が制御される。具体的に、第２電源７２は、制御部５から出力される給電停止信号Ｘ１（図３参照）の入力に応じて、負荷Ｌへの給電を停止する。
【００２６】
第１スイッチ７３は、第２電源７２から負荷Ｌへの電力供給の有無を切替可能である。例えば、第１スイッチ７３は、図３に示されるように、ＰＮＰ型のトランジスタＴ１と、抵抗Ｒ１１と、抵抗Ｒ１２とを含む。トランジスタＴ１のエミッタは第２電源７２に、ベースは抵抗Ｒ１１を介して制御部５に、コレクタはヒューズ７４に、それぞれ接続される。抵抗Ｒ１２は、一端がトランジスタＴ１のエミッタに接続され、他端がトランジスタＴ１のベースに接続される。第１スイッチ７３は、制御部５からローレベルの電気信号が出力されると、第２電源７２と負荷Ｌとを電気的に接続する。また、第１スイッチ７３は、制御部５からハイレベルの電気信号が出力されると、第２電源７２と負荷Ｌとの電気的な接続を遮断する。ここに、第１スイッチ７３に含まれるトランジスタＴ１が、本発明におけるスイッチング素子の一例である。なお、トランジスタＴ１は電界効果トランジスタ（ＦＥＴ）であってもよい。
【００２７】
ヒューズ７４は、図３に示されるように、負荷Ｌが接続された通電経路上に設けられる。
【００２８】
第２スイッチ７５は、ヒューズ７４の溶断に用いられる。例えば、第２スイッチ７５は、図３に示されるように、ＮＰＮ型のトランジスタＴ２と、抵抗Ｒ２１と、抵抗Ｒ２２とを含む。トランジスタＴ２のエミッタはアースに、ベースは抵抗Ｒ２１を介して制御部５に、コレクタはヒューズ７４に、それぞれ接続される。抵抗Ｒ２２は、一端がトランジスタＴ２のエミッタに接続され、他端がトランジスタＴ２のベースに接続される。第２スイッチ７５は、制御部５からハイレベルの電気信号が出力されると、ヒューズ７４とアースとを電気的に接続する。また、第２スイッチ７５は、制御部５からローレベルの電気信号が出力されると、ヒューズ７４とアースとの電気的な接続を遮断する。
【００２９】
温度検出部７６は、トランジスタＴ１から予め定められた特定範囲内の温度を検出する。例えば、前記特定範囲は、トランジスタＴ１から数センチメートルの範囲である。例えば、温度検出部７６は、トランジスタＴ１から前記特定範囲内に設けられたサーミスターを含む電気回路である。例えば、温度検出部７６は、前記サーミスターの抵抗値に応じた電圧値の温度検出信号Ｘ２（図３参照）を制御部５に入力する。
【００３０】
なお、画像形成装置１０において、第２電源７２、第１スイッチ７３、ヒューズ７４、第２スイッチ７５、及び温度検出部７６は、負荷Ｌごとに設けられていてもよい。
【００３１】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００３２】
また、制御部５は、図２に示されるように、第１状態制御部５１、及び第２状態制御部５２を含む。具体的に、制御部５は、前記ＣＰＵを用いて前記ＲＯＭに記憶されている前記制御プログラムを実行する。これにより、制御部５は、第１状態制御部５１、及び第２状態制御部５２として機能する。
【００３３】
第１状態制御部５１は、予め定められた第１遷移条件を充足する場合に、画像形成装置１０の動作モードを通常モードから前記通常モードより消費電力が低減される省電力モードに遷移させる。例えば、前記第１遷移条件には、操作表示部６に対する無操作状態が予め定められた時間継続したことが含まれる。また、前記第１遷移条件には、操作表示部６に対する前記動作モードの変更操作が行われたことが含まれていてもよい。
【００３４】
例えば、第１状態制御部５１は、前記第１遷移条件を充足する場合に、第１スイッチ７３にハイレベルの電気信号を出力する。これにより、第１スイッチ７３による第２電源７２と負荷Ｌとの電気的な接続が遮断されて、第２電源７２による負荷Ｌへの給電が停止される。従って、画像形成装置１０の消費電力が低減される。
【００３５】
第２状態制御部５２は、予め定められた第２遷移条件を充足する場合に、前記動作モードを前記省電力モードから前記通常モードに遷移させる。例えば、前記第２遷移条件には、外部の通信装置から前記印刷処理の実行指示を受信したこと、及び操作表示部６に対する操作が検出されたことが含まれる。
【００３６】
例えば、第２状態制御部５２は、前記第２遷移条件を充足する場合に、第１スイッチ７３にローレベルの電気信号を出力する。これにより、第２電源７２と負荷Ｌとが第１スイッチ７３によって電気的に接続されて、第２電源７２による負荷Ｌへの給電が再開される。
【００３７】
ところで、トランジスタＴ１の故障により、トランジスタＴ１に過大な電流が流れることがある。この場合、トランジスタＴ１が発熱して、トランジスタＴ１が設けられた基板が発煙又は発火するなどの不具合が生じる。これに対し、温度検出部７６により検出される温度に応じてヒューズ７４を溶断することが考えられる。
【００３８】
しかしながら、トランジスタＴ１の故障以外の原因で、温度検出部７６によって検出される温度が前記基準温度を超えることがある。そのため、温度検出部７６によって検出される温度が前記基準温度を超える場合に、ヒューズ７４が溶断されると、トランジスタＴ１が正常であるにも関わらず画像形成装置１０の機能が制限される事態が生じる。これに対し、本発明の実施形態に係る画像形成装置１０では、以下に説明するように、トランジスタＴ１が正常である場合に機能が制限されることを抑制することが可能である。
【００３９】
具体的に、制御部５の前記ＲＯＭには、前記ＣＰＵに後述の給電制御処理（図４のフローチャート参照）を実行させるための給電制御プログラムが予め記憶されている。なお、前記給電制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００４０】
そして、制御部５は、図２に示されるように、判断処理部５３、カウント処理部５４、及び処理実行部５５を更に含む。具体的に、制御部５は、前記ＣＰＵを用いて前記ＲＯＭに記憶されている前記給電制御プログラムを実行する。これにより、制御部５は、判断処理部５３、カウント処理部５４、及び処理実行部５５として機能する。ここに、制御部５、及び電源部７を備える装置が、本発明における電源装置の一例である。
【００４１】
判断処理部５３は、温度検出部７６によって検出される温度が予め定められた基準温度を超える異常状態が発生したか否かを判断する。例えば、判断処理部５３は、温度検出部７６から入力される温度検出信号Ｘ２の電圧値と、前記基準温度に対応する予め定められた閾値との比較結果に基づいて、前記異常状態が発生したか否かを判断する。
【００４２】
カウント処理部５４は、前記異常状態の発生回数をカウントする。例えば、画像形成装置１０では、前記ＥＥＰＲＯＭの予め定められた特定記憶領域に、前記異常状態の発生回数を示す発生回数情報が記憶されている。カウント処理部５４は、判断処理部５３によって前記異常状態が発生したと判断される度に、前記特定記憶領域に記憶されている前記発生回数情報により示される前記異常状態の発生回数に１を加算して、前記異常状態の発生回数をカウントする。
【００４３】
処理実行部５５は、前記異常状態が発生した場合であって、カウント処理部５４によりカウントされる前記異常状態の発生回数が予め定められた上限回数以下である場合には、第２電源７２による負荷Ｌへの給電を停止させる停止処理を実行する。また、処理実行部５５は、カウント処理部５４によりカウントされる前記異常状態の発生回数が前記上限回数を超える場合には、ヒューズ７４を溶断させる溶断処理を実行する。例えば、前記上限回数は１回である。
【００４４】
例えば、処理実行部５５は、カウント処理部５４により前記異常状態の発生回数がカウントされた場合に、前記特定記憶領域に記憶されている前記発生回数情報を参照して、前記異常状態の発生回数が前記上限回数以下であるか否かを判断する。そして、処理実行部５５は、前記異常状態の発生回数が前記上限回数以下である場合には、第２電源７２に給電停止信号Ｘ１を入力する。これにより、第２電源７２による負荷Ｌへの給電が停止される。
【００４５】
例えば、処理実行部５５は、予め定められた停止解除条件を充足するまでの間、第２電源７２による負荷Ｌへの給電を停止させる。例えば、前記停止解除条件には、予め定められた時間が経過したこと、又は画像形成装置１０の主電源が投入されたことが含まれる。なお、トランジスタＴ１の故障以外の原因で温度検出部７６によって検出される温度が前記基準温度を超える場合には、前記停止処理における給電の停止期間が短いほど、給電の再開時に再度前記異常状態が発生する可能性が高くなると考えられる。そのため、前記停止解除条件は、前記停止処理における給電の停止期間が一定程度以上に確保可能となるように設定されることが望ましい。
【００４６】
一方、処理実行部５５は、前記異常状態の発生回数が前記上限回数を超える場合には、第２スイッチ７５にハイレベルの電気信号を出力する。これにより、ヒューズ７４とアースとが第２スイッチ７５によって電気的に接続されて、ヒューズ７４に過大な電流が流れ込み、ヒューズ７４が溶断される。
【００４７】
［給電制御処理］
以下、図４を参照しつつ、画像形成装置１０において制御部５により実行される給電制御処理の手順の一例と共に、本発明の給電制御方法の手順の一例について説明する。ここで、ステップＳ１１、Ｓ１２・・・は、制御部５により実行される処理手順（ステップ）の番号を表している。
【００４８】
＜ステップＳ１１＞
まず、ステップＳ１１において、制御部５は、前記異常状態が発生したか否かを判断する。ここで、ステップＳ１１の処理は、制御部５の判断処理部５３により実行される。
【００４９】
例えば、制御部５は、温度検出部７６から入力される温度検出信号Ｘ２の電圧値と、前記基準温度に対応する前記閾値との比較結果に基づいて、前記異常状態が発生したか否かを判断する。
【００５０】
ここで、制御部５は、前記異常状態が発生したと判断すると（Ｓ１１のＹｅｓ側）、処理をステップＳ１２に移行させる。また、前記異常状態が発生していなければ（Ｓ１１のＮｏ側）、制御部５は、ステップＳ１１で前記異常状態の発生を待ち受ける。
【００５１】
＜ステップＳ１２＞
ステップＳ１２において、制御部５は、前記異常状態の発生回数をカウントする。ここに、ステップＳ１２の処理が、本発明におけるカウントステップの一例であって、制御部５のカウント処理部５４により実行される。
【００５２】
例えば、制御部５は、前記特定記憶領域に記憶されている前記発生回数情報により示される前記異常状態の発生回数に１を加算して、前記異常状態の発生回数をカウントする。
【００５３】
＜ステップＳ１３＞
ステップＳ１３において、制御部５は、ステップＳ１２でカウントされた前記異常状態の発生回数が前記上限回数以下であるか否かを判断する。例えば、制御部５は、前記特定記憶領域に記憶されている前記発生回数情報を参照して、前記異常状態の発生回数が前記上限回数以下であるか否かを判断する。
【００５４】
ここで、制御部５は、ステップＳ１２でカウントされた前記異常状態の発生回数が前記上限回数以下であると判断すると（Ｓ１３のＹｅｓ側）、処理をステップＳ１４に移行させる。また、ステップＳ１２でカウントされた前記異常状態の発生回数が前記上限回数を超えていれば（Ｓ１３のＮｏ側）、制御部５は、処理をステップＳ１３１に移行させる。
【００５５】
＜ステップＳ１４＞
ステップＳ１４において、制御部５は、第２電源７２による負荷Ｌへの給電を停止させる前記停止処理を実行する。
【００５６】
例えば、制御部５は、第２電源７２に給電停止信号Ｘ１を入力する。これにより、第２電源７２による負荷Ｌへの給電が停止される。
【００５７】
なお、ステップＳ１２の処理は、ステップＳ１４の処理の後に実行されてもよい。
【００５８】
＜ステップＳ１５＞
ステップＳ１５において、制御部５は、前記停止解除条件を充足したか否かを判断する。
【００５９】
ここで、制御部５は、前記停止解除条件を充足したと判断すると（Ｓ１５のＹｅｓ側）、処理をステップＳ１６に移行させる。また、前記停止解除条件を充足していなければ（Ｓ１５のＮｏ側）、制御部５は、ステップＳ１５で前記停止解除条件の充足を待ち受ける。
【００６０】
＜ステップＳ１６＞
ステップＳ１６において、制御部５は、第２電源７２による負荷Ｌへの給電の停止を解除する。例えば、制御部５は、第２電源７２への給電停止信号Ｘ１の入力を停止する。これにより、第２電源７２による負荷Ｌへの給電が再開される。
【００６１】
＜ステップＳ１３１＞
一方、ステップＳ１３において、ステップＳ１２でカウントされた前記異常状態の発生回数が前記上限回数を超えると判断されると、制御部５はステップＳ１３１の処理を実行する。ステップＳ１３１において、制御部５は、ヒューズ７４を溶断させる前記溶断処理を実行する。ここに、ステップＳ１３、ステップＳ１４、及びステップＳ１３１の処理が、本発明における処理実行ステップの一例であって、制御部５の処理実行部５５により実行される。
【００６２】
例えば、制御部５は、第２スイッチ７５にハイレベルの電気信号を出力する。これにより、ヒューズ７４とアースとが第２スイッチ７５によって電気的に接続されて、ヒューズ７４に過大な電流が流れ込み、ヒューズ７４が溶断される。
【００６３】
このように、前記給電制御処理では、温度検出部７６によって検出される温度が前記基準温度を超える前記異常状態の発生回数が前記上限回数を超えるまでの間は、前記溶断処理に替えて前記停止処理が実行される。これにより、トランジスタＴ１の故障以外の原因で温度検出部７６によって検出される温度が前記基準温度を超えたとしても、直ちに前記溶断処理が実行されることが回避される。従って、トランジスタＴ１が正常である場合に機能が制限されることを抑制することが可能である。
【００６４】
なお、定着部３７と温度検出部７６との間の距離が近い場合には、温度検出部７６が定着部３７で発生する熱の影響により誤検出を起こすことが考えられる。そこで、前記上限回数を、定着部３７からの温度検出部７６の離間距離に応じて定めることが考えられる。具体的に、前記離間距離が小さいほど、前記上限回数を多く定めることが考えられる。
【００６５】
また、画像形成装置１０が、複数の負荷Ｌ各々に対応する第２電源７２、第１スイッチ７３、ヒューズ７４、及び第２スイッチ７５を備える構成において、複数のトランジスタＴ１に対応する一つの温度検出部７６を設けることが考えられる。具体的に、温度検出部７６が、トランジスタＴ１各々から前記特定範囲内の温度を検出することが考えられる。
【００６６】
この場合、処理実行部５５が、前記異常状態が発生した場合であって、カウント処理部５４によりカウントされる前記異常状態の発生回数がトランジスタＴ１の数に応じて予め定められた前記上限回数以下である場合に、第２電源７２各々による負荷Ｌへの給電を停止させる前記停止処理を実行することが考えられる。また、処理実行部５５が、カウント処理部５４によりカウントされる前記異常状態の発生回数がトランジスタＴ１の数に応じて予め定められた前記上限回数を超える場合に、ヒューズ７４各々を溶断させる前記溶断処理を実行することが考えられる。
【００６７】
［第２実施形態］
以下、図５を参照しつつ、本発明の第２実施形態について説明する。第２実施形態では、前述の第１実施形態の画像形成装置１０における電源部７の構成が一部変更されている。
【００６８】
具体的に、第２実施形態に係る画像形成装置１０では、図５に示されるように、制御部５が、第２電源７２から給電を受けて駆動される。また、第２実施形態に係る画像形成装置１０では、図５に示されるように、電源部７にリセット回路７７、及びラッチ回路７８が設けられている。なお、その他の部分の構成は、第２実施形態と第１実施形態とで共通である。そのため、以下の説明においては、第２実施形態のうち第１実施形態と共通する構成については、第１実施形態の構成と同じ符号を付し示すことによりその詳細な説明を省略する。
【００６９】
リセット回路７７は、画像形成装置１０の主電源が投入された場合に、制御部５をリセットするリセット信号Ｘ３（図５参照）を出力する電気回路である。例えば、リセット回路７７は、第１電源７１から給電を受けて駆動される。リセット回路７７から出力されるリセット信号Ｘ３は、制御部５に入力されると共に、ラッチ回路７８に入力される。
【００７０】
ラッチ回路７８は、画像形成装置１０の主電源が遮断されるまでの間、処理実行部５５から出力される給電停止信号Ｘ１を保持する電気回路である。例えば、ラッチ回路７８は、第１電源７１から給電を受けて駆動される。ラッチ回路７８は、処理実行部５５から給電停止信号Ｘ１が入力された場合に、入力された給電停止信号Ｘ１を第２電源７２に出力する。また、ラッチ回路７８は、処理実行部５５からの給電停止信号Ｘ１の入力が停止された後も、リセット回路７７からリセット信号Ｘ３が入力されるまでの間は、第２電源７２に給電停止信号Ｘ１を出力する。なお、リセット回路７７からは、画像形成装置１０の主電源が投入される場合を除いて、リセット信号Ｘ３は出力されない。そのため、ラッチ回路７８は、画像形成装置１０の主電源が遮断されて第１電源７１からの給電が停止するまでの間、第２電源７２に給電停止信号Ｘ１を出力する。これにより、第２電源７２からの給電が停止される制御部５から出力される給電停止信号Ｘ１に基づいて、第２電源７２による給電を停止させることが可能である。
【００７１】
このように、本発明は、前記停止処理によって制御部５に給電を行う第２電源７２による給電が停止される構成であっても適用することが可能である。
【符号の説明】
【００７２】
１    ＡＤＦ
２    画像読取部
３    画像形成部
４    給紙部
５    制御部
５１  第１状態制御部
５２  第２状態制御部
５３  判断処理部
５４  カウント処理部
５５  処理実行部
６    操作表示部
７    電源部
７１  第１電源
７２  第２電源
７３  第１スイッチ
Ｔ１  トランジスタ
７４  ヒューズ
７５  第２スイッチ
７６  温度検出部
７７  リセット回路
７８  ラッチ回路
１０  画像形成装置
【図１】
0006536483.tif 000002
【図２】
0006536483.tif 000003
【図３】
0006536483.tif 000004
【図４】
0006536483.tif 000005
【図５】
0006536483.tif 000006